(57)【要約】【課題】施工性が良く、漏水の恐れがない遮水シートの敷設方法を提供すること。【解決手段】本発明の貯留槽用遮水シートの敷設方法によれば、遮水シート１０の余剰部１０ａによる槽空間保護部材２０の側面の覆いは、余剰部１０ａを折り上げて行われ、槽空間保護部材２０のコーナー部の覆いは、折り上げた余剰部１０ｃを切断することなく折り込まれて行われる。具体的に、槽空間保護部材２０のコーナー部において、折り上げた遮水シート１０の余剰部１０ｂで略三角形状のポケット部１５が形成され、このポケット部１５が槽空間保護部材２０の側面に重ね合わされる。そして、余剰部１０ａの上端余剰部１０ｃとポケット部１５の上端部１５ａを槽空間保護部材２０の天井面２０ｃ側に折り曲げ、この天井面２０ｃで遮水シート１０の上端余剰部１０ｃとポケット部１５の上端部１５ａとが接着剤１９により接着される。【選択図】図６
2010059612.tif 000002
【特許請求の範囲】
【請求項１】
掘削形成した槽空間に遮水シートを敷き、該遮水シート上に略矩形状の槽空間保護部材を充填設置した後、更に前記遮水シートの余剰部分で前記槽空間保護部材の側面を覆う貯留槽用遮水シートの敷設方法において、
前記遮水シートの余剰部による前記槽空間保護部材の側面の覆いは、前記余剰部を折り上げて行われ、前記槽空間保護部材のコーナー部の覆いは、前記折り上げた前記余剰部を切断することなく折り込むことで行われたことを特徴とする貯留槽用遮水シートの敷設方法。
【請求項２】
前記槽空間保護部材のコーナー部は、
該コーナー部の両側の側面を覆って残った前記余剰部で形成された略三角形状のポケット部を、前記一方の側面側に重ね合わせて覆ったことを特徴とする請求項１に記載の貯留槽用遮水シートの敷設方法。
【請求項３】
前記遮水シートの大きさは、前記余剰部が前記折り上げられた状態で前記槽空間保護部材の天井面の高さを越える大きさであり、前記側面を覆って残った前記余剰部及び前記ポケット部の上端部を前記天井面側に折り曲げ、該天井面の部分で前記側面を覆って残った前記余剰部と前記ポケット部の上端部を接着したことを特徴とする請求項２に記載の貯留槽用遮水シートの敷設方法。
【発明の詳細な説明】
【技術分野】
【０００１】
本発明は、貯留槽用遮水シートの敷設方法、特に槽空間に充填配置された槽空間保護部材を遮水シートで覆う貯留槽用遮水シートの敷設方法に関する。
【背景技術】
【０００２】
種々の理由により地下に水を貯留して活用することが行われており、例えば雨水を有効利用するため、地下に雨水貯留用の槽空間を構築して、この雨水貯留槽に雨水を貯留する技術が実用化されている。ここで、雨水の有効利用としては、例えば花壇に貯めた雨水を散水すること、火事が発生したときに消火のために放水すること等が挙げられる。
【０００３】
雨水貯留槽は、まず雨水貯留槽を構築する場所が掘削され、基礎に砕石、砂等が敷かれ、底面が平坦にされる。そして、雨水貯留槽の側面から貯留した雨水が漏れないようにするために、熱融着又は接着剤等で所望の大きさに接合された遮水シートが敷かれ、雨水貯留槽の槽空間を保持するため雨水貯留槽内に槽空間保護部材を上記の遮水シート上に設置することが行われている。この槽空間保護部材は、プラスチック成形体ユニットを雨水貯留槽内で所定の段数組み上げて設置される。
【０００４】
すなわち、雨水貯留槽の槽空間は槽空間保護部材で充填され、その形状が保持される。そして、その槽空間保護部材の外側面を遮水シートで覆い、必要に応じて槽空間保護部材の上面（天井面）を保護するため、槽空間保護部材の上部に保護ボード等が置かれる。その後、遮水性或いは透水性のあるシート類で槽空間保護部材の上部が覆われ、その上に土砂等を埋め戻して雨水貯留槽の構築が終了する。なお、適宜、雨水の流入、流出に必要な付帯設備が設けられる。こうして、複数のプラスチック成型体ユニットで組み立てられた槽空間保護部材により槽空間が保護された雨水貯留槽が完成し、そこに雨水が貯留される。
【０００５】
ここで、貯留槽用遮水シートは、所定の大きさの遮水シートが槽空間保護部材の大きさに合わせて必要な枚数だけ熱融着又は接着剤にて接合されるが、この接合部で漏水等が生じないように、遮水シート間の接合は細心の注意が払われて行われる。必要に応じて、接合部の接合状態の検査が行われる。その他にも、遮水シートと付帯設備との接着不良や、施行終了後の埋め戻し時の転圧による埋め戻し土に含まれる角の鋭い礫或いは木の根等による遮水シートの破損にも細心の注意が払われる（例えば、特許文献１等参照）。
【０００６】
図７は、従来の槽空間保護部材のコーナー部における遮水シートの敷設方法を説明する部分斜視図である。槽空間保護部材２０の下に遮水シート１０が敷かれている。ここで、遮水シート１０において、槽空間保護部材２０が設置された部分以外の部分が遮水シート１０の余剰部１０ａとなっている。槽空間保護部材２０の外側面は遮水シート１０の余剰部１０ａを折り上げられて覆われている。
【０００７】
槽空間保護部材２０のコーナー部では、コーナー部の両側面に合わせて遮水シート１０の余剰部１０ａが切り開かれて余分な部分が取り除かれ、切断した端部が接着剤又は熱融着によりで貼り合わされている。図７では、その接合部を符号３０で示している。なお、図７では、槽空間保護部材２０の天井面２０ｃが保護ボード４０により保護され、側面を覆って残った余剰部１０ａが槽空間保護部材２０の天井面２０ｃに、上記の保護ボード４０を覆うように折り曲げられており、これらの上に別の遮水シート又は透水シートが敷設される。
【０００８】
【特許文献１】特開２００４−２０４５７６号公報
【発明の開示】
【発明が解決しようとする課題】
【０００９】
従来の貯留槽用遮水シートの敷設方法では、貯留用遮水シート１０を槽空間保護部材２０のコーナー部の両側面に合わせて切り開き、余分な部分を削除して、その後に接合している。したがって、接合部３０の止水性を確保するため、パッチあて加工等を行って遮水シート１０を貼り合わせなければならず、敷設作業が煩雑なものとなっていた。また、この様なコーナー部の止水処理が不完全な場合には漏水の恐れがあった。更に、このコーナー部での遮水シートの融着加工等の接合作業は狭いスペースで困難性があり、接合が正常に行われたか否かの検査も極めて困難であった。
【００１０】
本発明は、上記課題に鑑みてなされたものであり、その目的は、施工性が良く、漏水の危険性がない貯留槽用遮水シートの敷設方法を提供することにある。
【課題を解決するための手段】
【００１１】
上記目的を達成するため、請求項１に記載の貯留槽用遮水シートの敷設方法は、
掘削形成した槽空間に遮水シートを敷き、該遮水シート上に略矩形状の槽空間保護部材を充填設置した後、更に前記遮水シートの余剰部分で前記槽空間保護部材の側面を覆う貯留槽用遮水シートの敷設方法において、前記遮水シートの余剰部による前記槽空間保護部材の側面の覆いは、前記余剰部を折り上げて行われ、前記槽空間保護部材のコーナー部の覆いは、前記折り上げた前記余剰部を切断することなく折り込むことで行われたことを特徴とする。
【００１２】
斯かる方法を採用することにより、貯留槽用保護部材の側面は貯留槽用遮水シートの余剰部を折り上げて覆われる。そして、槽空間保護部材のコーナー部は折り上げた余剰部を切断することなく折り込むことで覆われるので、コーナー部には切断部の接合部は発生せず、したがってコーナー部での漏水の恐れは皆無となる。また、遮水シートを折り込むだけなので作業が簡単で短時間で終了する。
【００１３】
請求項２に記載の貯留槽用遮水シートの敷設方法は、請求項１に記載の貯留槽用遮水シートの敷設方法において、
前記槽空間保護部材のコーナー部は、該コーナー部の両側の側面を覆って残った前記余剰部で形成された略三角形状のポケット部を、前記一方の側面側に重ね合わせて覆ったことを特徴とする。
【００１４】
槽空間保護部材のコーナー部では、コーナー部の両側の側面を覆って残った余剰部により略三角形状のポケット部が形成され、このポケット部が槽空間保護部材の側面に重ね合わされる。したがって、無駄な折り曲げ部を作成することなくコーナー部の処理を簡単かつ確実に行うことが可能である。
【００１５】
請求項３に記載の遮水シートの敷設方法は、請求項２に記載の遮水シートの敷設方法において、
前記遮水シートの大きさは、前記余剰部が前記折り上げられた状態で前記槽空間保護部材の天井面の高さを越える大きさであり、前記側面を覆って残った前記余剰部及び前記ポケット部の上端部を前記天井面側に折り曲げ、該天井面の部分で前記側面を覆って残った前記余剰部と前記ポケット部の上端部を接着したことを特徴とする。
【００１６】
遮水シートの大きさは、その余剰部が折り上げられた状態で槽空間保護部材の天井面の高さを超える大きさであり、槽空間保護部材の天井面側に、側面部を覆って残った余剰部及びポケット部との上端部を折り曲げることができる。そして、天井面で側面部を覆って残った余剰部とポケット部の上端部との接着が行われる。したがって、側面部を覆って残った余剰部とポケット部の上端部との接着作業を槽空間保護部材の上方空間で行うことが可能であり、貯留槽用遮水シートの施工が容易で敷設作業が短時間で終了することとなる。
【発明の効果】
【００１７】
本発明の遮水シートの敷設方法によれば、貯留槽用保護部材の側面の覆いは、留槽用遮水シートの余剰部を折り上げて行われ、槽空間保護部材のコーナー部の覆いは、折り上げた余剰部を切断することなく折り込むことで行われるので、コーナー部には切断部の接合部は発生せず、したがってコーナー部での漏水の恐れは皆無となる。また、遮水シートを折り込むだけで遮水シートの敷設が終了することから施工も簡単であり、貯留槽の遮水性に対する信頼性が向上する。
【発明を実施するための最良の形態】
【００１８】
本発明の実施の形態を、以下図面を参照しながら詳述する。図１〜６は、本発明の貯留槽用遮水シートの敷設方法を説明する部分斜視図である。なお、本実施の形態は、雨水貯留槽を例に取り、その雨水貯留槽が複数のプラスチック成形体ユニットを接続若しくは組み立てることにより形成される槽空間保護部材によって保護される場合を示している。
【００１９】
以下、詳細に敷設方法を説明する。まず、雨水貯留槽を構築する場所が掘削され、基礎に砕石、砂等が敷かれ、底面が平坦にされる。そして、熱融着又は接着剤等で所望の大きさに接合された遮水シート１０が上記の底面に敷かれ、槽空間保護部材２０が遮水シート１０上に設置される。図１は、その槽空間保護部材２０が遮水シート１０上に設置された状態を示している。なお、遮水シート１０及び槽空間保護部材２０は、矢印Ｘで示した方向に所定長さ延在する略長方形状となっている。ここで、遮水シート１０において、槽空間保護部材２０が設置された部分以外の部分が遮水シート１０の余剰部１０ａとなっている。
【００２０】
槽空間保護部材２０は、背景技術で述べたように、複数のプラスチック成形体ユニットが組み立てられて構築される。そして、雨水貯留槽の槽空間は、槽空間保護部材２０により充填されることにより、その槽空間の維持、保護がなされ、この雨水貯留槽に雨水が貯留される。なお、図１では槽空間保護部材２０は、プラスチック成形体ユニットを２段に重ねたものとして示されているが、実際には雨水貯留槽の大きさに合わせて所望の段数だけ重ねられる。
【００２１】
槽空間保護部材２０の天井面２０ｃには、保護ボード４０が取り付けられている。保護ボード４０はプラスチック樹脂材料等により略長方形の平板状に形成されており、槽空間保護部材２０の天井面２０ｃに縦横に並べられ、槽空間保護部材２０の天井面２０ｃの全面を覆うように設置される。この保護ボード４０により槽空間保護部材２０の天井面２０ｃの一点に上からの荷重が集中することが防止され、槽空間保護部材２０が保護されることとなる。
【００２２】
槽空間保護部材２０の外側面は、図２に示すように、貯留槽用遮水シート１０の余剰部１０ａを折り上げることで被覆される。この覆われた側面のコーナー部では、このコーナー部の両側の側面を覆って残った余剰部１０ｂをそのまま重ね合わせ略三角形状のポケット部１５が形成される。
【００２３】
次に、図３に示すように、上記のポケット部１５をコーナー部の両側の側面の一方側に重ね合わせる。なお、ポケット部１５は、図３に示す側面とは逆の側面に重ね合わせることも可能である。このように、槽空間保護部材２０のコーナー部においては、コーナー部の両側の側面を覆って残った余剰部１０ｂにより略三角形状のポケット部１５が形成され、このポケット部１５が槽空間保護部材２０の側面に重ね合わされるので、無駄な折り曲げ部を作成することなくコーナー部の処理を簡単かつ確実に行うことが可能である。
【００２４】
したがって、コーナー部には切断部の接合部は発生せず、コーナー部での漏水の恐れは皆無となる。また、遮水シートを折り込むだけなので作業が簡単で短時間で終了することとなる。また、遮水シート１０を切り開くことがないので、雨水貯留槽の遮水性に対する信頼性が向上する。
【００２５】
次に、遮水シート１０の余剰部１０ａの上端部の処理について図４、図５を用いて説明する。遮水シート１０の大きさは、その余剰部１０ａが折り上げられた状態で槽空間保護部材２０の天井面２０ｃの高さを超える大きさであり、槽空間保護部材２０の天井面２０ｃ側には、槽空間保護部材２０の側面部を覆って残った部分が上端の余剰部１０ｃとして存在している。
【００２６】
この上端余剰部１０ｃ及びポケット部１５の上端部１５ａは、図５に示すように、槽空間保護部材２０の天井面２０ｃ側に折り曲げられる。このとき、上端余剰部１０ｃ及びポケット部１５の上端部１５ａは、保護ボード４０を覆うように折り曲げられる。
【００２７】
最後に、図６に示すように、折り曲げられたポケット部１５の上端部１５ａは上端余剰部１０ｃの上面に接着剤１９にて接着される。この接着作業は、開放された槽空間保護部材２０の上方空間で行うことが可能であり、貯留槽用遮水シートの施工作業がし易くなり、作業時間が短縮され、作業の迅速化に寄与することができる。
【００２８】
同様の作業が全てのコーナー部において行われ、その後、槽空間保護部材２０の天井面２０ｃに、保護ボード４０の上からその他の遮水シート又は透水シートが敷設される。そして、その上に土砂等が埋め戻されて作業が終了する。
【００２９】
したがって、本発明の実施の形態の遮水シートの敷設方法によれば、貯留槽用保護部材の側面は貯留槽用遮水シートの余剰部を折り上げて覆われる。そして、槽空間保護部材のコーナー部は折り上げた余剰部を切断することなく折り込むことで覆われるので、コーナー部には切断部の接合部は発生せず、したがってコーナー部での漏水の恐れは皆無となる。また、遮水シートを折り込むだけなので作業が簡単で短時間で終了する。遮水シートを切り開くことがないので遮水シートの遮水性に対する信頼性が向上する。
【００３０】
なお、本発明は、上述の実施の形態に限定されるものではなく、本発明の趣旨を逸脱しない範囲で種々の変更が可能である。例えば、遮水シートは略長方形状のものを用いたが、この形状に限定されるものではなく、槽空間や槽空間保護部材の形状等に合わせて選択可能である。この場合、コーナー部では槽空間保護部材の形状により種々の形状のポケット部が形成され、このポケット部を槽空間保護部材の側面に重ね合わせることが可能である。
【図面の簡単な説明】
【００３１】
【図１】本発明の貯留槽用遮水シートの敷設方法に係る部分斜視図である。
【図２】本発明の貯留槽用遮水シートの敷設方法に係る部分斜視図である。
【図３】本発明の貯留槽用遮水シートの敷設方法に係る部分斜視図である。
【図４】本発明の貯留槽用遮水シートの敷設方法に係る部分斜視図である。
【図５】本発明の貯留槽用遮水シートの敷設方法に係る部分斜視図である。
【図６】本発明の貯留槽用遮水シートの敷設方法に係る部分斜視図である。
【図７】従来の貯留槽用遮水シートの敷設方法に係る部分斜視図である。
【符号の説明】
【００３２】
１０  貯留槽用遮水シート
１０ａ、１０ｂ  余剰部
１０ｃ  上端余剰部
１５  ポケット部
１５ａ  ポケット部の上端部
２０  槽空間保護部材
２０ｃ  天井面
４０  保護ボード
【図１】
2010059612.tif 000003
【図２】
2010059612.tif 000004
【図３】
2010059612.tif 000005
【図４】
2010059612.tif 000006
【図５】
2010059612.tif 000007
【図６】
2010059612.tif 000008
【図７】
2010059612.tif 000009